(57)【要約】【課題】ドラム式洗濯機において、排水フィルタを覆い隠す蓋体の開閉のしやすさが意図せずに変化するのを防ぐようにすること。【解決手段】水槽を内装する筐体１と、筐体１に形成された水槽への投入口と、投入口を開閉自在に閉塞される扉体２と、１筐体に着脱自在に設けられ、水槽からの排水をろ過する排水フィルタ３と、排水フィルタ３を開閉自在に覆う蓋体４と、を備え、蓋体４に筐体１に形成した係合部１１に係脱自在に係合する係止部４３を有するフック４２を形成し、フック４２は、蓋体４から係止部４３に向かう断面形状を、係止部４３が係合部１１側に向かって突出する円弧状に形成することによって、蓋体の開閉のしやすさが意図せずに変化してしまうことを防ぎ、使用者の操作性に優れたドラム式洗濯機を提供することができる。【選択図】図２
2017225650.tif 000002
【特許請求の範囲】
【請求項１】
水槽を内装する筐体と、前記筐体に形成された前記水槽への投入口と、前記投入口を開閉自在に閉塞される扉体と、前記筐体に着脱自在に設けられ、前記水槽からの排水をろ過する排水フィルタと、前記排水フィルタを開閉自在に覆う蓋体と、を備え、
前記蓋体に前記筐体に形成した係合部に係脱自在に係合する係止部を有するフックを形成し、前記フックは、前記蓋体から前記係止部に向かう断面形状を、前記係止部が前記係合部側に向かって突出する円弧状に形成したドラム式洗濯機。
【請求項２】
水槽を内装する筐体と、前記筐体に形成された前記水槽への投入口と、前記投入口を開閉自在に閉塞される扉体と、前記筐体に着脱自在に設けられ、前記水槽からの排水をろ過する排水フィルタと、前記排水フィルタを開閉自在に覆う蓋体と、を備え、
前記蓋体に前記筐体に形成した係合部に係脱自在に係合する係止部を有するフックを形成し、前記フックは、断面形状を、前記係止部が前記係合部側に向かって突出する半球状に形成したドラム式洗濯機。
【発明の詳細な説明】
【技術分野】
【０００１】
本発明は、排水フィルタを開閉自在に覆う蓋を有するドラム式洗濯機に関するものである。
【背景技術】
【０００２】
従来、この種のドラム式洗濯機では、洗濯機外に排出される水に混入している糸屑を捕集する目的として排水フィルタが設けられている。排水フィルタは、筐体の前面下側に配設され、蓋により開閉自在に覆う構成となっている。蓋を開き、排水フィルタを着脱することにより、排水フィルタに付着した糸屑を除去する構成としていた（例えば、特許文献１参照）。
【０００３】
図６は、特許文献１に記載された従来のドラム式洗濯機の排水フィルタ部分を示すものである。図６に示すように、排水フィルタ１０３は、筐体の前面下側の一部に配設され、蓋１０２によって開閉自在に覆われており、蓋１０２を開けて排水フィルタ１０３を着脱する構成となっている。
【０００４】
蓋１０２には、一方の側面に回転軸１０４が配設され、回転軸１０４が配設された側面に相対向する側面に、主断面形状が単一平板のフック１０５が形成されている。蓋１０２は、回転軸１０４を支点として回動し、フック１０５を筐体に形成した凹部１０６に係止して開閉自在に閉塞される。
【０００５】
この構成においては、蓋１０２の開閉のしやすさは、フック１０５の材質、断面形状、周囲温度に依存する弾性変形のしやすさ、弾性変形の量、および荷重点と弾性変形の支点の位置関係などに依存することになる。
【先行技術文献】
【特許文献】
【０００６】
【特許文献１】特開２０１５−５４００３号公報
【発明の概要】
【発明が解決しようとする課題】
【０００７】
このような従来の構成では、一般に、蓋の開閉操作性の向上を目的として、蓋を開放しやすくするためには、フックの弾性変形をしやすくする、弾性変形の量を大きくする、あるいは、荷重点と弾性変形の支点を大きくとるなどの構成が考えられる。
【０００８】
一方で、蓋を過剰に開放しやすくすると、蓋の保持力が低下し、使用者が意図せずに蓋が開放することがあった。
【０００９】
また、逆に、蓋の保持力を大きく設定すると、蓋の開放時にフック形状が弾性変形するだけではなく、蓋自体あるいは筐体が弾性変形することもあるため、結果として蓋の開閉のしやすさが意図せずに大きく変化することがあった。
【００１０】
さらに、フックの主断面形状が単一平板で構成されているために、フックの弾性変形の支点が意図せずに変化することもあり、蓋の開閉のしやすさが意図せずに変化することがあった。
【００１１】
本発明は、上記従来の課題を解決するもので、蓋の開閉のしやすさが意図せずに変化す
るのを抑制し、操作性に優れたドラム式洗濯機を提供することを目的とする。
【課題を解決するための手段】
【００１２】
前記従来の課題を解決するために、本発明のドラム式洗濯機は、水槽を内装する筐体と、前記筐体に形成された前記水槽への投入口と、前記投入口を開閉自在に閉塞される扉体と、前記筐体に着脱自在に設けられ、前記水槽からの排水をろ過する排水フィルタと、前記排水フィルタを開閉自在に覆う蓋体と、を備え、前記蓋体に前記筐体に形成した係合部に係脱自在に係合する係止部を有するフックを形成し、前記フックは、前記蓋体から前記係止部に向かう断面形状を、前記係止部が前記係合部側に向かって突出する円弧状に形成したものである。
【００１３】
これによって、断面形状が半円筒形の部分ではフックの弾性変形が起こりにくくなり、弾性変形はフックの付け根の周辺で起こりやすくなるため、弾性変形の支点を固定しやすくなり、蓋の開閉のしやすさが意図せずに変化することがなくなる。
【００１４】
また、本発明のドラム式洗濯機は、水槽を内装する筐体と、前記筐体に形成された前記水槽への投入口と、前記投入口を開閉自在に閉塞される扉体と、前記筐体に着脱自在に設けられ、前記水槽からの排水をろ過する排水フィルタと、前記排水フィルタを開閉自在に覆う蓋体と、を備え、前記蓋体に前記筐体に形成した係合部に係脱自在に係合する係止部を有するフックを形成し、前記フックは、断面形状を、前記係止部が前記係合部側に向かって突出する半球状に形成したものである。
【００１５】
これによって、断面形状が半球形の部分ではフックの弾性変形が起こりにくくなり、弾性変形はフックの付け根の周辺で起こりやすくなるため、弾性変形の支点を固定しやすくなり、蓋の開閉のしやすさが意図せずに変化することがなくなる。
【発明の効果】
【００１６】
本発明は、排水フィルタを隠すための蓋体において、蓋体の開閉のしやすさが意図せずに変化してしまうことを防ぎ、使用者の操作性に優れたドラム式洗濯機を提供することができる。
【図面の簡単な説明】
【００１７】
【図１】本発明の実施の形態のドラム式洗濯機の外観斜視図
【図２】同蓋を開放した状態の外観斜視図
【図３】同要部拡大斜視図
【図４】同要部拡大断面図
【図５】本発明の第２の実施の形態の要部拡大斜視図
【図６】従来のドラム式洗濯機の要部斜視図
【発明を実施するための形態】
【００１８】
第１の発明のドラム式洗濯機は、水槽を内装する筐体と、前記筐体に形成された前記水槽への投入口と、前記投入口を開閉自在に閉塞される扉体と、前記筐体に着脱自在に設けられ、前記水槽からの排水をろ過する排水フィルタと、前記排水フィルタを開閉自在に覆う蓋体と、を備え、前記蓋体に前記筐体に形成した係合部に係脱自在に係合する係止部を有するフックを形成し、前記フックは、前記蓋体から前記係止部に向かう断面形状を、前記係止部が前記係合部側に向かって突出する円弧状に形成したものである。
【００１９】
これによって、断面形状が半円筒形の部分ではフックの弾性変形が起こりにくくなり、弾性変形はフックの付け根の周辺で起こりやすくなるため、弾性変形の支点を固定しやすくなり、蓋の開閉のしやすさが意図せずに変化することがなくなる。
【００２０】
また、第２の発明のドラム式洗濯機は、水槽を内装する筐体と、前記筐体に形成された前記水槽への投入口と、前記投入口を開閉自在に閉塞される扉体と、前記筐体に着脱自在に設けられ、前記水槽からの排水をろ過する排水フィルタと、前記排水フィルタを開閉自在に覆う蓋体と、を備え、前記蓋体に前記筐体に形成した係合部に係脱自在に係合する係止部を有するフックを形成し、前記フックは、断面形状を、前記係止部が前記係合部側に向かって突出する半球状に形成したものである。
【００２１】
これによって、断面形状が半球形の部分ではフックの弾性変形が起こりにくくなり、弾性変形はフックの付け根の周辺で起こりやすくなるため、弾性変形の支点を固定しやすくなり、蓋の開閉のしやすさが意図せずに変化することがなくなる。
【００２２】
以下、本発明の実施の形態について、図面を参照しながら説明する。なお、この実施の形態によって本発明が限定されるものではない。
【００２３】
（実施の形態１）
本発明の第１の実施の形態におけるドラム式洗濯機について、図１〜図４を用いて説明する。図１は、本発明の実施の形態のドラム式洗濯機の蓋を閉塞した状態の外観斜視図、図２は、同蓋を開放した状態の外観斜視図、図３は、同フック部を示す要部拡大斜視図、図４は、同フック部を筐体に係止した状態の要部拡大断面図である。
【００２４】
図１において、ドラム式洗濯機の筐体１は、内部に水槽（図示せず）を収納し、水槽内に回転ドラム（図示せず）が衣類出入口を前方に向けて回転自在に収納される。筐体＊の前面には、衣類出入口と連通する投入口（図示せず）が設けられ、投入口は、回動自在に支持された扉体２により覆われる。扉体２は、略矩形状に形成され、横幅寸法が筐体１の横幅寸法と略同一に形成されている。扉体２は、閉塞した状態で、扉体２の上面が筐体１の上面と略同一面となり、扉体２の両側面が筐体１の両側面と略同一面となるように構成している。
【００２５】
扉体２の上部には、操作表示部（図示せず）が配置されている。操作表示部は、入力手段と表示手段を備えている。使用者は、必要に応じて操作表示部の入力手段を操作することにより希望する運転内容の設定、運転スタート、一時停止を行うことができる。また、使用者は、操作表示部の表示手段により運転の設定状態や進行状態を確認することができる。
【００２６】
筐体１の前部には、扉体２の下方位置に、水槽からの排水をろ過する排水フィルタ３を覆う蓋体４が回動自在に支持されている。扉体２と蓋体４は、閉塞状態で、扉体２の前面と蓋体４の前面が略同一面となるように構成している。蓋体４は、扉体２と同様に、横幅寸法が筐体１の横幅寸法と略同一寸法に形成し、蓋体４の両側面が筐体１の両側面と略同一面となるように構成している。
【００２７】
蓋体４は、下辺側に回動軸４１を有し、回動軸４１を支点として回動し、上辺近傍に形成したフック４２を筐体１に形成した係合部１１に係止して閉塞状態に保持される。
【００２８】
図４に示すように、フック４２は、蓋体４の筐体１に相対向する面から筐体１に向かって突出形成している。フック４２は、フック４２の係止部４３が筐体１の係合部１１側に突出するように断面形状を円弧状に形成している。フック４２は、曲面を持たせて円弧状に反らせることにより、フック４２が弾性変形する際の支点がフック４２の付け根部分（フック４２に蓋体４から延設する部分）４４となる。
【００２９】
排水フィルタ３に付着した糸くず等を除去する際には、蓋体４の上側両側面を手指で押さえて、蓋体４を前方側に回動させる。蓋体４の回動に伴ってフック４２が弾性変形して、フック４２の係止部４３と筐体１の係合部１１の係合が外れ、蓋体４の上辺側を開放させて、排水フィルタ３を露出させる。この状態で、排水フィルタ３を取り外し、排水フィルタ３に付着した糸くず等を除去する。
【００３０】
フック４２は、フック４２の断面形状を円弧状に形成することにより、フック４２が弾性変形する際の支点位置を、フック４２の付け根部分４４にすることができ、フック４２の弾性変形のしやすさやフック４２が弾性変形する際の支点の距離が一定となる。結果として、フック４２を所定量弾性変形させるために必要な力が意図せずに変化することを防ぐことができる。
【００３１】
以上のように、本実施の形態においては、蓋体４を開閉させるための荷重が意図せずに変化することを防げるため、蓋体４の開閉のしやすさが安定することになる。
【００３２】
（実施の形態２）
本発明の第２の実施の形態におけるドラム式洗濯機について、図５を用いて説明する。図５は、本実施の形態のフック形状の拡大図である。
【００３３】
図５において、フック５１は、フック５１の係止部４３が筐体１の係合部１１側に突出するように断面形状を半球状に形成している。フック５１は、曲面を持たせて半球状に反らせることにより、フック５１が弾性変形する際の支点がフック５１の付け根部分（フック５１が蓋体４から延設する部分）４４にすることができる。
【００３４】
フック５１の主断面形状を半球面形にすることにより、フック５１の弾性変形の支点がフック５１の長手方向だけでなく、フック５１の幅方向にも固定されるため、フック５１の弾性変形のしやすさや荷重点と弾性変形の支点との距離がより変化しにくくなる。結果として、フック５１を所定量弾性変形させるために必要な力が意図せずに変化することを防ぐことができる。
【００３５】
以上のように、本実施の形態においては、蓋体４を開閉させるための荷重が意図せずに変化することを防げるため、蓋体４の開閉のしやすさがより安定することになる。
【産業上の利用可能性】
【００３６】
本発明は、排水フィルタを覆う蓋体に好適なフックの構成に係るものであり、排水フィル以外のものを覆う蓋体のフックにも適用することができ、ドラム式洗濯機以外の他の洗濯機にも適用することができる。
【符号の説明】
【００３７】
１  筐体
２  扉体
３  排水フィルタ
４  蓋体
１１  係合部
４１  回動軸
４２  フック
４３  係止部
４４  付け根部分
５１  フック
【図１】
2017225650.tif 000003
【図２】
2017225650.tif 000004
【図３】
2017225650.tif 000005
【図４】
2017225650.tif 000006
【図５】
2017225650.tif 000007
【図６】
2017225650.tif 000008